(57)【要約】【課題】  ケーブルを複数回通すことが可能で、十分なノイズ吸収効果を奏して小型で使い勝手も良く、各種電子機器に使用可能なケーブル用ノイズ吸収装置を提供する。【解決手段】  相互間にケーブル挿入通路を形成するように接触して組み合わされる一対の磁性体コア１１，１２と、カバー２０とを有していて、磁性体コア１１，１２の内周面からなる前記ケーブル挿入通路は、６以上の辺をもつ多角形、楕円形、長円形、又はこれらの組み合わせの断面形状で、かつ短手方向と長手方向の比が１対２以上であり、カバー２０は、半カバー２１，２２によって磁性体コア１１，１２の外周面側をそれぞれ覆う構造とし、半カバー２１，２２はヒンジ２３によって結合されており、反対側の端縁にカバー掛止部２４を有し、当該カバー掛止部２４にて一対の半カバー２１，２２同士を嵌合ロックできるようにしている。【選択図】        図１
2005197552.tif 000002
【特許請求の範囲】
【請求項１】
相互間にケーブル挿入通路を形成するように接触して組み合わされる一対の磁性体コアと、カバーとを有するノイズ吸収装置であって、
前記一対の磁性体コアの内周面からなる前記ケーブル挿入通路は、６以上の辺をもつ多角形、楕円形、長円形、又はこれらの組み合わせの断面形状で、かつ短手方向と長手方向の比が１対２以上であり、
前記カバーは、一対の半カバーによって前記一対の磁性体コアの外周面側をそれぞれ覆う構造とし、前記一対の半カバーはそれぞれの一端縁がヒンジによって結合されており、前記一端縁とは反対側の他端縁にカバー掛止部を有し、当該カバー掛止部にて前記一対の半カバー同士を嵌合ロックできるようにしたことを特徴とするノイズ吸収装置。
【請求項２】
前記カバーにホルダー掛止部を設けてなる請求項１記載のノイズ吸収装置。
【請求項３】
前記カバーにケーブル固定用保持部を一体に形成してなる請求項１又は２記載のノイズ吸収装置。
【請求項４】
前記一対の磁性体コアは相互に接触して組み合わされたときに、それらの内周面は断面が６以上の辺をもつ多角形、楕円形、長円形、又はこれらの組み合わせの断面形状の前記ケーブル挿入通路をなし、該６以上の辺をもつ多角形、楕円形、長円形、又はこれらの組み合わせの断面形状の短手長はケーブル直径と等しいか又は大きく、長手長はケーブル直径の２倍と等しいか又は大きい寸法であり、１つ又は複数のループが形成されるようにした請求項１，２又は３記載のノイズ吸収装置。
【請求項５】
前記カバー掛止部は、一方の半カバーに形成される、抜け防止爪を形成した差し込み片と、他方の半カバーに形成される、カバー肉厚を削って形成した穴部とからなり、前記差し込み片が前記穴部に嵌合自在である請求項１，２，３又は４記載のノイズ吸収装置。
【請求項６】
前記穴部を形成した方の半カバーの前記他端縁に横ずれ防止舌片が形成され、前記差し込み片を前記穴部に嵌合したときに、前記横ずれ防止舌片が前記差し込み片を形成した方の半カバーの内周面に接して差し込まれる構造にした請求項５記載のノイズ吸収装置。
【請求項７】
相互間にケーブル挿入通路を形成するように接触して組み合わされる一対の磁性体コアと、カバーとを有する電源ライン用ノイズ吸収装置であって、
前記一対の磁性体コアの内周面からなる前記ケーブル挿入通路は、６以上の辺をもつ多角形、楕円形、長円形、又はこれらの組み合わせの断面形状で、かつ短手方向と長手方向の比が１対２以上であり、
前記カバーは、一対の半カバーによって前記一対の磁性体コアの外周面側をそれぞれ覆う構造とし、前記一対の半カバーはそれぞれの一端縁がヒンジによって結合されており、前記一端縁とは反対側の他端縁にカバー掛止部を有し、当該カバー掛止部にて前記一対の半カバー同士を嵌合ロックでき、
１つ又は複数のループが形成されるようにしたことを特徴とする電源ライン用ノイズ吸収装置。
【発明の詳細な説明】
【技術分野】
【０００１】
本発明は、テレビやパソコン、ゲーム機、ＯＡ・ＦＡ機器等の電子機器に使用されるケーブル用ノイズ吸収装置に係り、特に電源ケーブルに好適で、ケーブルに装着され、電子機器内で発生し、又は、外部で発生して、ケーブル内を伝播するノイズを吸収するために用いられるノイズ吸収装置に関する。
【背景技術】
【０００２】
従来のケーブル用ノイズ吸収装置は下記の特許文献１に開示されているように、相互間にケーブル挿入経路を形成するように組み合わされる一対の半円状フェライトと、これを収納するカバーを有し、組み合わせられたフェライトのケーブル挿入経路断面は円形状としたものが知られている。
【０００３】
【特許文献１】実公平６−３２７１８号公報
【０００４】
また、下記特許文献２に開示されているように、相互間にケーブル挿入経路を形成するように組み合わされる一対の半円状フェライトと、これを収納する収納カバー部を有し、前記収納カバー部はケーブルが１〜２回巻回する部分が露出しないようにケーブル収納部を有しているものも知られている。
【０００５】
【特許文献２】特開２００２−１５１３３３号公報
【０００６】
この種のノイズ吸収装置において、ユーザーが電気的特性を改善する目的で、ケーブルを１〜２回巻回することがある。ところが、この様な使用形態を取った場合、組み合わせられたフェライトのケーブル挿入経路断面が円形状のため、ここに使用できるケーブル外形はフェライト内径の半分以下となってしまい、使用するケーブルに対してノイズ吸収装置が大きくなってしまう嫌いがあった。
【０００７】
また、巻回したケーブル全体を収納部に入れた場合、特に比較的太い電源ケーブルに於いては、ケーブルを小さく巻くことが安全上及び構造上困難となり、ケーブル収納部を含めたノイズ吸収装置が甚だしく大きくなってしまう嫌いがあった。
【０００８】
上記従来技術では、上述のようにノイズ吸収装置が大きくなるため、使い勝手も悪く、コスト高を招いてしまう。
【発明の開示】
【発明が解決しようとする課題】
【０００９】
本発明は、前記問題点に鑑み成されたものであり、ケーブルを複数回通すことが可能で、十分なノイズ吸収効果を奏することができ、小型で使い勝手も良く、しかも安価にて、テレビやパソコン、ゲーム機、ＯＡ・ＦＡ機器等の電子機器に使用されるケーブル用ノイズ吸収装置を提供することを目的とする。
【００１０】
本発明のその他の目的や新規な特徴は後述の実施の形態において明らかにする。
【課題を解決するための手段】
【００１１】
上記目的を達成するために、本願請求項１の発明は、相互間にケーブル挿入通路を形成するように接触して組み合わされる一対の磁性体コアと、カバーとを有するノイズ吸収装置であって、
前記一対の磁性体コアの内周面からなる前記ケーブル挿入通路は、６以上の辺をもつ多角形、楕円形、長円形、又はこれらの組み合わせの断面形状で、かつ短手方向と長手方向の比が１対２以上であり、
前記カバーは、一対の半カバーによって前記一対の磁性体コアの外周面側をそれぞれ覆う構造とし、前記一対の半カバーはそれぞれの一端縁がヒンジによって結合されており、前記一端縁とは反対側の他端縁にカバー掛止部を有し、当該カバー掛止部にて前記一対の半カバー同士を嵌合ロックできるようにしたことを特徴としている。
【００１２】
本願請求項２の発明に係るノイズ吸収装置は、請求項１において、前記カバーにホルダー掛止部を設けてなることを特徴としている。
【００１３】
本願請求項３の発明に係るノイズ吸収装置は、請求項１又は２において、前記カバーにケーブル固定用保持部を一体に形成してなることを特徴としている。
【００１４】
本願請求項４の発明に係るノイズ吸収装置は、請求項１，２又は３において、前記一対の磁性体コアは相互に接触して組み合わされたときに、それらの内周面は断面が６以上の辺をもつ多角形、楕円形、長円形、又はこれらの組み合わせの断面形状の前記ケーブル挿入通路をなし、該６以上の辺をもつ多角形、楕円形、長円形、又はこれらの組み合わせの断面形状の短手長はケーブル直径と等しいか又は大きく、長手長はケーブル直径の２倍と等しいか又は大きい寸法であり、１つ又は複数のループが形成されるようにしたことを特徴としている。
【００１５】
本願請求項５の発明に係るノイズ吸収装置は、請求項１，２，３又は４において、前記カバー掛止部は、一方の半カバーに形成される、抜け防止爪を形成した差し込み片と、他方の半カバーに形成される、カバー肉厚を削って形成した穴部とからなり、前記差し込み片が前記穴部に嵌合自在であることを特徴としている。
【００１６】
本願請求項６の発明に係るノイズ吸収装置は、請求項５において、前記穴部を形成した方の半カバーの前記他端縁に横ずれ防止舌片が形成され、前記差し込み片を前記穴部に嵌合したときに、前記横ずれ防止舌片が前記差し込み片を形成した方の半カバーの内周面に接して差し込まれる構造であることを特徴としている。
【００１７】
本願請求項７の発明は、相互間にケーブル挿入通路を形成するように接触して組み合わされる一対の磁性体コアと、カバーとを有する電源ライン用ノイズ吸収装置であって、
前記一対の磁性体コアの内周面からなる前記ケーブル挿入通路は、６以上の辺をもつ多角形、楕円形、長円形、又はこれらの組み合わせの断面形状で、かつ短手方向と長手方向の比が１対２以上であり、
前記カバーは、一対の半カバーによって前記一対の磁性体コアの外周面側をそれぞれ覆う構造とし、前記一対の半カバーはそれぞれの一端縁がヒンジによって結合されており、前記一端縁とは反対側の他端縁にカバー掛止部を有し、当該カバー掛止部にて前記一対の半カバー同士を嵌合ロックでき、
１つ又は複数のループが形成されるようにしたことを特徴としている。
【発明の効果】
【００１８】
本発明によれば、相互間にケーブル挿入通路を形成するように接触して組み合わされる一対の磁性体コアと、カバーとを有するノイズ吸収装置において、前記一対の磁性体コアの内周面からなる前記ケーブル挿入通路は、６以上の辺をもつ多角形、楕円形、長円形、又はこれらの組み合わせの断面形状で、かつ短手方向と長手方向の比が１対２以上であり、ケーブルを１〜複数回巻回する場合、高さ方向の無駄なスペースがなくなり、使用するケーブルに対して最適化が図れ、小型で軽量な、使い勝手も良い、安価なノイズ吸収装置を提供できる。
【００１９】
また、前記カバーのホルダー掛止部にホルダーを取り付け出来る構造とした場合、そのホルダーを利用してテレビやパソコン、ゲーム機、ＯＡ・ＦＡ機器等の電子機器の本体部分に容易に取り付けることができる。
【００２０】
さらに、ケーブル固定用保持部を前記カバーに一体に形成してある場合、ケーブルをバンドで規制することが可能なため、ケーブル取付品質も安定化することが出来る。
【００２１】
このように、従来例のような、巻回したケーブル全体を収納部に入れた場合に比べ、大幅に小型化ができ、使い勝手も良い、安価で品質も安定したノイズ吸収装置を実現出来る。
【発明を実施するための最良の形態】
【００２２】
以下、本発明を実施するための最良の形態として、ノイズ吸収装置の実施の形態を図面に従って説明する。
【００２３】
図１乃至図５を用いて本発明に係るノイズ吸収装置の実施の形態１を説明する。図１はノイズ吸収装置の装着前の開いた状態であり、（Ａ）は平面図、（Ｂ）は正面図、図２はその使用状態（ケーブル装着状態）で、（Ａ）は平面図、（Ｂ）は正面図、（Ｃ）は右側面図、図３は使用状態の断面図、図４はホルダーで、（Ａ）は平面図、（Ｂ）は正面図、図５はホルダー取付状態のノイズ吸収装置の正面図を示す。
【００２４】
これらの図に示すように、ノイズ吸収装置１は、相互間にケーブル挿入通路２を形成するように接触して環状コア構造体として組み合わされる一対のフェライト等の磁性体コア１１，１２と、該一対の磁性体コア１１，１２をそれぞれ保持する半カバー２１，２２、ヒンジ２３及びカバー掛止部２４を一体的にプラスチック等で形成したカバー２０とを備えている。
【００２５】
図３（Ａ）のように、一対の磁性体コア１１，１２は楕円筒又は長円筒を２分割した形状であり、ケーブル挿入通路をなす内周面がそれぞれ半楕円又は半長円の断面形状の凹溝１３であり、換言すれば、両コア１１，１２を相互に接触するように突き合わせて環状コア構造体としたときに、内周面は断面が楕円又は長円形状のケーブル挿入通路２を成し、該楕円又は長円形状の短径ｄ１はケーブル４０（電子機器の電源ケーブル等）の直径と等しいか僅かに大きく、長径ｄ２はケーブル４０の直径の２倍と等しいか僅かに大きい寸法である。また、磁性体コア１０，１１を突き合わせた状態では、ケーブル挿入通路２を囲む磁性体肉厚が略均一になるように、磁性体コア１０，１１の外周面はそれぞれ半楕円筒又は半長円筒をなす曲面となっている。
【００２６】
一対の半カバー２１，２２は、一対の磁性体コア１１，１２の外周面側をそれぞれ覆う構造であり、コア押さえ爪２１ａ，２２ａを内側四隅に有するとともに、図３（Ａ）のようにコア押さえ弾性片２１ｂ，２２ｂを内側底面に有している。そして、半カバー２１，２２の内側に磁性体コア１１，１２をそれぞれ収納するが、このとき、コア押さえ爪２１ａ，２２ａは磁性体コア１１，１２の突き合わせ面に一段低く形成された段差面１１ａ，１２ａに当接係止し、それらコア１１，１２の脱落を防止する。また、コア押さえ弾性片２１ｂ，２２ｂは半カバー２１，２２の底面より突出しており、弾性力で磁性体コア１１，１２を押し上げ、がたつかないようにするとともに、突き合わせ時のコア同士の接触を確実にしている。
【００２７】
一対の半カバー２１，２２はそれぞれの一端縁がヒンジ２３によって折り曲げ自在に結合されており、前記一端縁とは反対側の半カバー２１の他端縁にはカバー掛止部２４の一方を成す差し込み片２５が、半カバー２２の他端縁にはカバー掛止部２４の他方を成す穴部２６が形成されている。前記差し込み片２５には穴部２６に差し込み後の抜け防止のために、先端側に向かって肉厚が徐々に薄く形成された抜け防止爪２５ａが形成されている。また、穴部２６は、カバー外周への突出を最小限とするために、半カバー２２の部分Ｐの肉厚を削って形成してある。
【００２８】
また、穴部２６を形成した方の半カバー２２の前記他端縁には、横ずれ防止舌片２７が形成され、半カバー２１の差し込み片２５を半カバー２２の穴部２６に嵌合したときに、横ずれ防止舌片２７が半カバー２１の内周面に接して差し込まれる構造となっている。
【００２９】
さらに、カバー２０の外側端面、つまり一方の半カバー２１の端面にケーブル固定用保持部２８が設けられ（一体に形成され）ている。図２のように、このケーブル固定用保持部２８はケーブルを緊締するためのバンド３５を通すバンド通し穴２９が形成されている。
【００３０】
図１のノイズ吸収装置のケーブル挿入通路２に、図２及び図３（Ａ）のように、ケーブル４０を１つループＬが形成されるように２回通し、カバー掛止部２４の一方を成す差し込み片２５を、カバー掛止部２４の他方を成す穴部２６に差し込むことで、半カバー２１，２２同士が閉じた状態で嵌合ロックし、磁性体コア１１，１２は相互に接触して環状コア構造体として組み合わされる。このとき、図３（Ｂ）のように差し込み片２５に形成した抜け防止爪２５ａは穴部２６を貫通して突出して、差し込み片２５の抜けを防止し、半カバー２１，２２が閉じられたロック状態を維持する。また、図３（Ｃ）のように半カバー２２の横ずれ防止舌片２７が半カバー２１の内周面に接して差し込まれた状態となり、同図中、外力による矢印Ｑ方向の横ずれを防止して、抜け防止爪２５ａが穴部２６から抜けて外れることを防止する。
【００３１】
ケーブル４０に対するノイズ吸収装置１の位置固定及びケーブル４０のループＬの大きさの設定は、図２のようにケーブル固定用保持部２８のバンド通し穴２９にバンド３５を通し、このバンド３５でケーブル４０を緊締することで行うことができる。
【００３２】
なお、カバー２０を構成する半カバー２１，２２の底面部には、図２（Ａ）のように、ホルダー掛止部となる抜き穴３７を複数箇所（例えば４箇所）を設けあるため、これを利用して図４に示すホルダー３０をカバー２０に図５のように装着することができる。すなわち、ホルダー３０は複数箇所の抜き穴３７に対応する掛止用フック部３１を一体に有するから、掛止用フック部３１を抜き穴３７に挿入することでホルダー３０をカバー２０に固着できる。ホルダー３０は本体固定用穴部３２を有しており、この本体固定用穴部３２を利用して電子機器本体にノイズ吸収装置１を取り付け可能である。
【００３３】
この実施の形態によれば、次の通りの効果を得ることができる。
【００３４】
(1)  一対のフェライト等の磁性体コア１１，１２は楕円筒又は長円筒を２分割した形状であり、両者を相互に接触するように突き合わせて環状コア構造体としたときに、内周面は断面が楕円又は長円形状のケーブル挿入通路２を形成することができる。そして、ケーブル挿入通路２をケーブル４０を２回通して１個のループＬを形成するのに適した形状とすることにより、すなわち、図３（Ａ）のように前記ケーブル挿入通路２の断面楕円又は長円形状の短径ｄ１をケーブル４０（電子機器の電源ケーブル等）の直径と等しいか、これよりも僅かに大きく、長径ｄ２をケーブル４０の直径の２倍と等しいか、これよりも僅かに大きい寸法とすることで、ケーブル４０と磁性体コア１１，１２内周面間の隙間を最小限として、ノイズ吸収特性の改善及び小型化を図ることができる。
【００３５】
(2)  ケーブル固定用保持部２８をカバー２０に一体に形成しておくことで、ケーブル４０をバンド３５で規制することが可能なため、ケーブル取付を確実に行うことができ、ケーブル４０に対するノイズ吸収装置１の位置ずれを防止できる。
【００３６】
(3)  カバー２０に設けたカバー掛止部２４は、一方の半カバー２１に形成される、抜け防止爪２５ａを形成した差し込み片２５と、他方の半カバー２２に形成され穴部２６とからなり、差し込み片２５が穴部２６に嵌合自在な構造であるが、穴部２６は、半カバー２２の部分Ｐの肉厚を削って形成してあるため、カバー２０の外周への突出を最小限とすることが可能である。また、カバー２０を樹脂成形する場合の金型設計が容易となる（特殊な金型構造が不要）。
【００３７】
(4)  半カバー２１，２２が閉じた状態では、図３（Ｃ）のように半カバー２２の横ずれ防止舌片２７が半カバー２１の内周面に接して差し込まれた状態となるから、外力による矢印Ｑ方向の横ずれを防止して、抜け防止爪２５ａが穴部２６から抜けて外れることを防止可能である。
【００３８】
(5)  カバー２０のホルダー掛止部としての抜き穴３７に、ホルダー３０側の掛止用フック部３１を差し込むことで、図５のようにカバー２０にホルダー３０を一体化でき、そのホルダー３０の本体固定用穴部３２を利用してテレビやパソコン、ゲーム機、ＯＡ・ＦＡ機器等の電子機器の本体部分、さらには机や壁に容易に取り付けることができる。
【００３９】
図６は本発明に係るノイズ吸収装置の実施の形態２を示す。この場合、一対の磁性体コア１１，１２を相互に接触するように突き合わせて形成されるケーブル挿入通路２は、ケーブル４０を３回通すことが可能な形状寸法に設定されている。すなわち、一対の磁性体コア１１，１２を相互に接触するように突き合わせたとき、内周面は断面が楕円又は長円形状のケーブル挿入通路２を成し、該楕円又は長円形状の短径ｄ１はケーブル４０（電子機器の電源ケーブル等）の直径と等しいか僅かに大きく、長径ｄ２はケーブル４０の直径の３倍と等しいか僅かに大きい寸法である。
【００４０】
このようなケーブル挿入通路２の形状寸法とすることにより、ループＬを２個形成するようにケーブル４０をケーブル挿入通路２に３回通してノイズ吸収装置をケーブル４０に取り付けることが可能となり、ノイズ吸収効果のいっそうの改善を図ることができる。
【００４１】
なお、その他の構成及び作用効果は前述した実施の形態１と同様であり、同一又は相当部分に同一符号を付して説明を省略する。
【００４２】
図７にノイズ吸収装置のケーブル挿入通路に配置する（通す）ケーブルの回数（ターン数）をパラメータとしたインピーダンスの周波数特性を示す。１Ｔｓ（ターン数１でループ無し）よりも２Ｔｓ（ターン数２でループ１個）の方がインピーダンスが高く、さらに３Ｔｓ（ターン数３でループ２個）となるとインピーダンスがいっそう高くなっていることがわかる。
【００４３】
なお、上記各実施の形態では、ケーブル挿入通路が楕円又は長円形状の断面を有する場合を述べたが、図８のように６以上の辺をもつ多角形の断面を有し、かつ短手方向と長手方向の比が１対２以上としたケーブル挿入通路２としてもよい。また、６以上の辺をもつ多角形、楕円形、長円形を組み合わせた断面形状で、かつ短手方向と長手方向の比が１対２以上であるケーブル挿入通路としてもよい。
【００４４】
以上本発明の実施の形態について説明してきたが、本発明はこれに限定されることなく請求項の記載の範囲内において各種の変形、変更が可能なことは当業者には自明であろう。
【図面の簡単な説明】
【００４５】
【図１】本発明に係るノイズ吸収装置の実施の形態１であり、ノイズ吸収装置の装着前の開いた状態であって、（Ａ）は平面図、（Ｂ）は正面図である。
【図２】本発明の実施の形態１の使用状態で、（Ａ）は平面図、（Ｂ）は正面図、（Ｃ）は右側面図である。
【図３】本発明の実施の形態１の使用状態で、（Ａ）は正断面図、（Ｂ）はカバー掛止部の拡大断面図、（Ｃ）は横ずれ防止舌片が半カバーの内周に接している状態の拡大断面図である。
【図４】本発明の実施の形態１で使用可能なホルダーであって、（Ａ）は平面図、（Ｂ）は正面図である。
【図５】ホルダー取付状態のノイズ吸収装置の正面図を示す。
【図６】本発明に係るノイズ吸収装置の実施の形態２の正断面図である。
【図７】ノイズ吸収装置のケーブル挿入通路に通すケーブルの回数をパラメータとしたインピーダンスの周波数特性図である。
【図８】本発明のノイズ吸収装置におけるケーブル挿入通路の変形例を示す説明図である。
【符号の説明】
【００４６】
１  ノイズ吸収装置
２  ケーブル挿入通路
１１，１２  磁性体コア
１３  凹溝
２０  カバー
２１，２２  半カバー
２１ａ，２２ａ  コア押さえ爪
２１ｂ，２２ｂ  コア押さえ弾性片
２３  ヒンジ
２４  カバー掛止部
２５  差し込み片
２５ａ  抜け防止爪
２６  穴部
２７  横ずれ防止舌片
２８  ケーブル固定用保持部
２９  バンド通し穴
３０  ホルダー
３１  掛止用フック部
３２  本体固定用穴部
３５  バンド
４０  ケーブル
【図１】
2005197552.tif 000003
【図２】
2005197552.tif 000004
【図３】
2005197552.tif 000005
【図４】
2005197552.tif 000006
【図５】
2005197552.tif 000007
【図６】
2005197552.tif 000008
【図７】
2005197552.tif 000009
【図８】
2005197552.tif 000010
【手続補正書】
【提出日】平成16年1月14日(2004.1.14)
【手続補正１】
【補正対象書類名】明細書
【補正対象項目名】００２５
【補正方法】変更
【補正の内容】
【００２５】
図３（Ａ）のように、一対の磁性体コア１１，１２は楕円筒又は長円筒を２分割した形状であり、ケーブル挿入通路をなす内周面がそれぞれ半楕円又は半長円の断面形状の凹溝１３であり、換言すれば、両コア１１，１２を相互に接触するように突き合わせて環状コア構造体としたときに、内周面は断面が楕円又は長円形状のケーブル挿入通路２を成し、該楕円又は長円形状の短径ｄ１はケーブル４０（電子機器の電源ケーブル等）の直径と等しいか僅かに大きく、長径ｄ２はケーブル４０の直径の２倍と等しいか僅かに大きい寸法である。また、磁性体コア１１，１２を突き合わせた状態では、ケーブル挿入通路２を囲む磁性体肉厚が略均一になるように、磁性体コア１１，１２の外周面はそれぞれ半楕円筒又は半長円筒をなす曲面となっている。